(57)【要約】【課題】温度特性の安定性を考慮して適切な追従速度を用いて発振器を制御する発振器制御方法を提供する。【解決手段】発振器制御方法は、信号差算出工程と、温度取得工程と、追従速度決定工程と、制御工程と、を含む。信号差算出工程では、ＯＣＸＯが出力した出力信号又はそれに基づく信号と、リファレンス信号と、の位相差又は周波数差を求める。温度取得工程では、ＯＣＸＯの周囲の温度を取得する。追従速度決定工程では、温度取得工程で取得された温度に基づいて、位相差又は周波数差を小さくする速度である追従速度を決定する。制御工程では、追従速度決定工程で決定された追従速度を用いて、位相差又は周波数差を小さくするようにＯＣＸＯを制御する。【選択図】図６
2014060682.tif 000002
【特許請求の範囲】
【請求項１】
発振器が出力した出力信号又はそれに基づく信号と、リファレンス信号と、の位相差又は周波数差を求める信号差算出工程と、
発振器の周囲の温度を取得する温度取得工程と、
前記温度取得工程で取得された温度に基づいて、前記位相差又は前記周波数差を小さくする速度である追従速度を決定する追従速度決定工程と、
前記追従速度決定工程で決定された前記追従速度を用いて、前記位相差又は前記周波数差を小さくするように前記発振器を制御する制御工程と、
を含むことを特徴とする発振器制御方法。
【請求項２】
請求項１に記載の発振器制御方法であって、
前記追従速度決定工程では、前記発振器の温度特性が不安定になるにつれて、決定される前記追従速度が大きくなることを特徴とする発振器制御方法。
【請求項３】
請求項１又は２に記載の発振器制御方法であって、
前記追従速度決定工程では、前記温度取得工程で取得された温度に基づいて、前記追従速度を段階的に切り替えることを特徴とする発振器制御方法。
【請求項４】
請求項３に記載の発振器制御方法であって、
前記追従速度決定工程で決定される追従速度の候補として少なくとも第１追従速度及び第２追従速度が存在し、
前記追従速度決定工程において、前記第１追従速度から前記第２追従速度へ切り替えるときの温度と、前記第２追従速度から前記第１追従速度へ切り替えるときの温度と、が異なることを特徴とする発振器制御方法。
【請求項５】
請求項１から４までの何れか一項に記載の発振器制御方法であって、
前記追従速度決定工程では、前記温度取得工程で取得された温度に加え、前記信号差算出工程で取得された位相差又は周波数差に基づいて、前記追従速度が決定されることを特徴とする発振器制御方法。
【請求項６】
請求項１から５までの何れか一項に記載の発振器制御方法で制御される発振器と、
前記発振器が出力した出力信号又は当該出力信号に基づく信号を基準信号として出力する出力部と、
を備えることを特徴とする基準信号発生装置。
【請求項７】
請求項１から５までの何れか一項に記載の発振器制御方法で制御され、恒温槽に覆われる発振器と、
前記恒温槽内が一定の温度になるように加熱する加熱部と、
を備えることを特徴とする恒温槽付発振器。
【発明の詳細な説明】
【技術分野】
【０００１】
本発明は、主として、基準信号発生装置等が備える発振器を制御する方法に関する。
【背景技術】
【０００２】
従来から、携帯電話の基地局やデジタル放送の送信局等では、信号を送信するタイミングや周波数の同期を行うために、基準信号発生装置が発生させた基準信号が用いられる。基準信号発生装置は、発振器が出力した信号と、ＧＮＳＳ受信機等から得られる高精度なリファレンス信号と、を比較して位相差を求める。基準信号発生装置は、この位相差をゼロに近づけるように発振器を制御することで高精度な信号を発生させる。特許文献１から４までは、この種の基準信号発生装置を開示する。なお、以下では、位相差をゼロに近づける速度を追従速度と称することがある。
【０００３】
特許文献１の基準信号発生装置は、リファレンス信号の出力がゼロになった場合は追従速度を小さくし、リファレンス信号の出力が戻った場合は追従速度を上げる（元に戻す）。これにより、リファレンス信号の出力がゼロになったときの影響を軽減させて、発振器の出力を安定させることができる。
【０００４】
特許文献２及び３の基準信号発生装置は、基準信号とリファレンス信号との位相差（追従誤差）に基づいてＩ−Ｐ制御部等による処理を行って発振器に与える操作量を決定する。これにより、追従誤差を素早くゼロに近づけるように、かつ、オーバーシュートが起こらないように発振器を制御することができる。
【０００５】
特許文献４の基準信号発生装置は、温度検知部を備える。基準信号発生装置は、温度検知部の出力から温度勾配（単位時間あたりの温度変化）を求め、温度勾配に応じて追従速度を変化させる。具体的には、温度勾配が所定の閾値以上となった場合に、追従速度を上げる。温度勾配が大きい場合は、単位時間あたりの周波数変化が大きくなると推定される。従って、温度勾配に応じて追従速度を変化させることにより、リファレンス信号に的確に追従することができる。
【先行技術文献】
【特許文献】
【０００６】
【特許文献１】特開平７−２０２８７１号公報
【特許文献２】特開２００９−１７４０８号公報
【特許文献３】国際公開第２０１２／２９４１６号
【特許文献４】特開２００６−１５７３０２号公報
【発明の概要】
【発明が解決しようとする課題】
【０００７】
ところで、発振器は、同じ制御量（制御電圧）を与えていた場合であっても、温度に応じて発振周波数が変化する性質（温度特性）を有している。そのため、温度変化があった場合は、発振器の発振周波数が変化するので、この発振周波数を元に戻すように発振器を制御する必要がある。
【０００８】
ここで、上記特許文献１から３までの基準信号発生装置は、温度を考慮して追従速度を変化させる制御を行っていないため、例えば急激な温度変化が生じた場合にＰＬＬロックが外れてしまうことがある。この点、特許文献４の基準信号発生装置は、温度勾配が大きくなった場合に追従速度を上げるため、温度変化が生じてもＰＬＬロックを維持できる可能性がある。
【０００９】
しかし、温度特性は、発振器の周囲の温度に応じて、安定性が変化することが知られている。つまり、発振周波数は、温度変化量（温度勾配）だけでなく、温度特性の安定性の影響を大きく受ける（後述の図２（ａ）等を参照）。更に言えば、温度特性が安定していれば温度変化が急激であっても発振周波数はそれほど変化しないのに対し、温度特性が不安定であれば温度変化が緩やかであっても発振周波数は大きく変化する。
【００１０】
つまり、温度勾配に応じて追従速度を変化させる構成は、温度変化の安定性を考慮しておらず、条件によっては、リファレンス信号との位相差が大きくなってＰＬＬロックが外れたり、外乱等の影響を大きく受けてしまったりすることが考えられる。
【００１１】
本発明は以上の事情に鑑みてされたものであり、その目的は、温度特性の安定性を考慮して適切な追従速度を用いて発振器を制御する発振器制御方法を提供することにある。
【課題を解決するための手段及び効果】
【００１２】
本発明の解決しようとする課題は以上の如くであり、次にこの課題を解決するための手段とその効果を説明する。
【００１３】
本発明の第１の観点によれば、以下の発振器制御方法が提供される。即ち、この発振器制御方法は、信号差算出工程と、温度取得工程と、追従速度決定工程と、制御工程と、を含む。前記信号差算出工程では、発振器が出力した出力信号又はそれに基づく信号と、リファレンス信号と、の位相差又は周波数差を求める。前記温度取得工程では、発振器の周囲の温度を取得する。前記追従速度決定工程では、前記温度取得工程で取得された温度に基づいて、前記位相差又は周波数差を小さくする速度である追従速度を決定する。前記制御工程では、前記追従速度決定工程で決定された前記追従速度を用いて、前記位相差又は周波数差を小さくするように前記発振器を制御する。
【００１４】
これにより、発振器は温度に応じて温度特性が変化するため、温度特性を考慮した追従速度を用いて発振器を制御することができる。
【００１５】
前記の発振器制御方法においては、前記追従速度決定工程では、前記発振器の温度特性が不安定になるにつれて、決定される前記追従速度が大きくなることが好ましい。
【００１６】
これにより、温度特性が安定している場合は追従速度を小さくして外乱を受けにくくするとともに、温度特性が不安定な場合は追従速度を大きくして温度変化による急激な周波数変化に追従することができる。
【００１７】
前記の発振器制御方法においては、前記追従速度決定工程では、前記温度取得工程で取得された温度に基づいて、前記追従速度を段階的に切り替えることが好ましい。
【００１８】
これにより、簡単な構成で、温度特性を考慮した適切な追従速度で発振器を制御できる。
【００１９】
前記の発振器制御方法においては、以下のようにすることが好ましい。即ち、前記追従速度決定工程で決定される追従速度の候補として少なくとも第１追従速度及び第２追従速度が存在する。前記追従速度決定工程において、前記第１追従速度から前記第２追従速度へ切り替えるときの温度と、前記第２追従速度から前記第１追従速度へ切り替えるときの温度と、が異なる。
【００２０】
これにより、決定される追従速度が短時間の間に何回も切り替わることを防止できる。
【００２１】
前記の発振器制御方法においては、前記追従速度決定工程では、前記温度取得工程で取得された温度に加え、前記信号差算出工程で取得された位相差又は周波数差に基づいて、前記追従速度が決定されることが好ましい。
【００２２】
これにより、位相差又は周波数差が大きいときは追従速度を上げる等の制御を行うことができるので、より適切な追従速度を決定することができる。
【００２３】
本発明の第２の観点によれば、前記の発振器制御方法で制御される発振器と、前記発振器が出力した出力信号又は当該出力信号に基づく信号を基準信号として出力する出力部と、を備える基準信号発生装置が提供される。
【００２４】
これにより、温度特性を考慮した適切な追従速度で発振器を制御可能な基準信号発生装置が実現できる。
【００２５】
本発明の第３の観点によれば、前記の発振器制御方法で制御され、恒温槽に覆われる発振器と、前記恒温槽内が一定の温度になるように加熱する加熱部と、を備える恒温槽付発振器が提供される。
【００２６】
これにより、温度特性を考慮した適切な追従速度で発振器を制御可能な恒温槽付発振器が実現できる。
【図面の簡単な説明】
【００２７】
【図１】本発明の一実施形態に係る基準信号発生装置を示すブロック図。
【図２】水晶及びＯＣＸＯの温度特性を示すグラフ。
【図３】追従速度が小さい場合に外乱が起こったときの制御電圧及び位相差の挙動を概略的に示すグラフ。
【図４】追従速度が大きい場合に外乱が起こったときの制御電圧及び位相差の挙動を概略的に示すグラフ。
【図５】外乱の影響の大小を追従速度に対応付けて示した表。
【図６】ＯＣＸＯの追従速度を変化させるための閾値を説明する図。
【図７】位相差に基づいて追従速度を変化させる様子を示すグラフ。
【発明を実施するための形態】
【００２８】
次に発明の実施の形態について説明する。初めに、図１を参照して、基準信号発生装置１０の全体構成について説明する。図１は、本実施形態の基準信号発生装置１０を概略的に示したブロック図である。
【００２９】
本実施形態の基準信号発生装置１０は、携帯電話の基地局、地上デジタル放送の送信局及びＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）の通信設備等に用いられるものであり、接続されるユーザ側の機器に基準タイミング信号や基準周波数信号を提供するものである。以下に、基準信号発生装置１０の各部の構成について説明する。
【００３０】
図１（ａ）に示すように、本実施形態の基準信号発生装置１０は、ＧＰＳ受信部２１と、制御部２２と、ＯＣＸＯ（Ｏｖｅｎ  Ｃｏｎｔｒｏｌｌｅｄ  Ｃｒｙｓｔａｌ  Ｏｓｃｉｌｌａｔｏｒ、恒温槽付発振器）２３と、分周部２４と、温度センサ（温度取得部）２５と、を備える。制御部２２、ＯＣＸＯ２３、及び分周部２４は、ＰＬＬ回路４４を構成している。
【００３１】
基準信号発生装置１０の入力部４１には、ＧＰＳアンテナ（ＧＮＳＳアンテナ）１１が接続されている。ＧＰＳアンテナ１１がＧＰＳ衛星（ＧＮＳＳ衛星）から受信した測位用信号は、この入力部４１を介して、ＧＰＳ受信部２１へ入力される。ＧＰＳ受信部２１は、この測位用信号に基づいて測位計算を行うことで、リファレンス信号（１秒に１回のパルス信号）を生成する。このリファレンス信号は、協定世界時（ＵＴＣ）の１秒に正確に同期するように適宜較正されている。
【００３２】
ＯＣＸＯ２３は、図１（ｂ）に示すように、ＶＣＯ（Ｖｏｌｔａｇｅ  Ｃｏｎｔｒｏｌｌｅｄ  Ｏｓｃｉｌｌａｔｏｒ、電圧制御発振器）５１と、温度センサ５２と、ヒータ制御部５３と、ヒータ５４と、を備えている。
【００３３】
ＶＣＯ５１は、外部から印加される電圧のレベルによって出力する周波数を変更可能な発振器である。また、ＶＣＯ５１は、恒温槽内に配置されている。温度センサ５２は、ＶＣＯ５１の周囲の温度を取得し、ヒータ制御部５３へ出力する。
【００３４】
ヒータ制御部５３は、温度センサ５２から取得した温度と、予め定められている目標温度と、の差に基づいて、ヒータ５４を制御する。ヒータ５４は、ヒータ制御部５３の制御によって恒温槽内を加熱する。以上の構成により、ＯＣＸＯ２３の外部の温度変化に関係なく、恒温槽内を目標温度に保つことができる。
【００３５】
ＯＣＸＯ２３（ＶＣＯ５１）の出力した出力信号は、基準周波数信号として出力部４２から外部のユーザ側のシステムへ出力されるとともに、分周部２４に入力される。
【００３６】
分周部２４は、ＯＣＸＯ２３から入力される基準周波数信号を分周して高い周波数から低い周波数に変換し、得られた位相比較用信号を制御部２２へ出力するように構成されている。また、この位相比較用信号は、基準タイミング信号（１ＰＰＳ信号）として出力部４３から外部のユーザ側のシステムに対しても出力される。例えば、ＯＣＸＯ２３が出力する基準周波数が１０ＭＨｚである場合、分周部２４は、ＯＣＸＯ２３が出力する１０ＭＨｚの信号を分周比１／１０００００００で分周して、１Ｈｚの位相比較用信号を生成する。
【００３７】
制御部２２には、前記リファレンス信号と、この位相比較用信号と、が入力される。制御部２２は、これらの信号の位相を比較して位相差を求め、その位相差に基づく信号（位相差信号、周波数制御量）を生成する（信号差算出工程）。
【００３８】
また、制御部２２は、この位相差信号の高周波成分の遮断及び雑音の除去を行った後に、位相差信号をＯＣＸＯ２３へ出力する。これにより、位相差をゼロに近づけるようにＯＣＸＯ２３を制御することができる（制御工程）。なお、制御部２２は、ＯＣＸＯ２３の出力信号又はそれに基づく信号とリファレンス信号の比較結果を出力する構成であれば良く、信号の処理方法は任意である。
【００３９】
以上に説明した構成によって、ＰＬＬ回路４４のループが構成され、リファレンス信号としての１ＰＰＳ信号に出力信号が同期するようにＯＣＸＯ２３が制御される。従って、ＧＰＳ受信部２１が１ＰＰＳ信号を生成して基準信号発生装置１０に供給し、当該１ＰＰＳ信号に対してＰＬＬロックしている限り、経時変化や周囲の温度変化等に起因してＯＣＸＯ２３の特性の変動が生じたとしても、基準信号発生装置１０の基準信号を高精度に保つことができる。
【００４０】
温度センサ２５は、ＯＣＸＯ２３の周囲（恒温槽の外側）の温度を検出する（温度取得工程）。温度センサ２５は、検出した温度を制御部２２へ出力する。なお、本発明の温度取得部は、温度センサ２５のように直接的にＯＣＸＯ２３の周囲の温度を検出する構成に限られない。例えば、ＯＣＸＯ２３のヒータは周囲の温度が低いほど供給される電力が大きくなるので、この電力を検出することで温度を取得することもできる。また、ＯＣＸＯ２３の周囲ではなく、ＶＣＯ５１の周囲の温度を検出する温度センサ５２を温度取得部として用いることもできる。
【００４１】
次に、温度特性について説明する。図２は、水晶及びＯＣＸＯの温度特性を示すグラフである。
【００４２】
初めに、水晶自体の温度特性について説明する。図２（ａ）に示すグラフは、横軸が発振器の周囲の温度を示しており、縦軸が温度変化による周波数の変化量を示している。図２（ａ）に示すように、水晶自体は一般的には３次関数に類似する温度特性を有しており、８０℃から９０℃位で極（ゼロ温度係数点）を取る。また、以下では極を取るときの温度を頂点温度と称する。
【００４３】
従って、発振器の周囲の温度が頂点温度の近傍である場合、温度変化に伴う周波数変化は小さい（温度特性が安定）。一方、発振器の周囲の温度が頂点温度から離れている場合、温度変化に伴う周波数変化は大きい（温度特性が不安定）。
【００４４】
次に、ＯＣＸＯ２３の温度特性について説明する。図２（ｂ）に示すグラフは、横軸がＯＣＸＯ２３の周囲の温度（恒温槽の外側の温度）を示しており、縦軸が温度変化による周波数の変化量を示している。本実施形態のＯＣＸＯ２３は、頂点温度が目標温度として設定されている。これにより、恒温槽の外側の温度に関係なく、発振器の温度特性を安定させることができる。
【００４５】
しかし、恒温槽の外側の温度が高くなるにつれて、恒温槽内を頂点温度に維持することが困難となる。図２（ｂ）に示すＯＣＸＯでは、恒温槽の外側の温度が約７５℃を超えると、恒温槽内を頂点温度に維持できず、恒温槽の外側の温度に応じて恒温槽内の温度も上昇してしまう。従って、図２（ｂ）に示すように、ＯＣＸＯは、恒温槽の外側の温度が約７５℃までは温度特性が安定しており、約７５℃を超えるにつれて温度特性が不安定となる性質を有している。
【００４６】
次に、追従速度の違いによる外乱の影響について説明する。図３及び図４は、追従速度が小さい場合と大きい場合において、外乱が起こったときの制御電圧及び位相差の挙動を概略的に示すグラフである。図５は、追従速度と周波数変動の要因とを比較する表である。
【００４７】
図３（ａ）及び図４（ａ）には、温度変化の影響により発生する位相差と、マルチパスや妨害電波等の影響により発生する位相差と、が示されている。
【００４８】
初めに、温度変化により発生する位相差について説明する。恒温槽の外部の温度が変化すると、その影響で発振器の周囲の温度が変化するため、温度特性により周波数が変化する。温度変化による位相差は、通常は温度特性が安定である場合は緩やかに変化し、温度特性が不安定である場合は急激に変化する。
【００４９】
温度変化によって位相差が発生した場合、当該位相差を素早くゼロに近づけることが好ましい。ここで、制御部２２は、追従速度が小さい場合は、制御電圧を緩やかに変化させる（図３（ｂ）を参照）。従って、位相差が急激に変化する場合は、その変化に素早く追従することができず、比較的大きな位相差が発生してしまう（図３（ｃ）を参照）。
【００５０】
一方、制御部２２は、追従速度が大きい場合は、制御電圧を大きく変化させることができる（図４（ｂ）を参照）。そのため、位相差が急激に変化する場合であっても、その変化に素早く追従することができるので、発生する位相差を抑えることができる。（図４（ｃ）を参照）。
【００５１】
以上により、図５に示すように、温度変化により位相差が緩やかに変化する場合は、追従速度に関係なく、位相差を素早く０にすることができる（影響が小さい）。また、温度変化により位相差が急激に変化する場合は、追従速度が大きいほど位相差を素早く０にすることができる（影響を小さくできる）。
【００５２】
次に、マルチパス等の影響により発生する位相差について説明する。マルチパス等により正常でない信号をリファレンス信号として受信した場合、位相差が一時的に大幅に変化し、しばらくすると位相差が元に戻る（図３（ａ）等を参照）。
【００５３】
マルチパス等による位相差は、正常なリファレンス信号が受信できないことに起因して生じているため、当該位相差をゼロに近づけない方が好ましい。ここで、追従速度が小さい場合は、制御電圧を緩やかに変化させるので、制御電圧（周波数）が急激に変化しない（図３（ｂ）を参照）。また、マルチパス等の影響が無くなった後にオーバーシュートが発生しないので、発生する位相差を抑えることができる（図３（ｃ）を参照）。
【００５４】
一方、追従速度が大きい場合は、制御電圧（周波数）が急激に変化してしまう（図４（ｂ）を参照）。また、マルチパス等の影響が無くなった後にオーバーシュートが発生することがあるので、所望の値から周波数がズレてしまう（図４（ｃ）を参照）。
【００５５】
以上により、図５に示すように、マルチパス等が発生した場合は、追従速度が小さいほどその影響を軽減することができる。
【００５６】
上記で説明した点を考慮すると、通常は小さい追従速度で発振器を制御し、温度変化によって位相差が急激に変化する場合にのみ追従速度を大きくすることが望ましい。ここで、上記特許文献４では、温度勾配が大きくなると追従速度を大きくする制御を行う構成が開示されている。しかし、上述のように温度特性が不安定であれば温度勾配が小さい場合でも追従速度を大きくする必要がある。また、温度特性が安定であれば温度勾配が大きい場合であっても追従速度は小さいままで良い。従って、特許文献４の構成は、不適切な追従速度で発振器が制御されることがあった。
【００５７】
これに対し、本実施形態では、温度勾配ではなく温度特性の安定性に基づいて、追従速度を決定することで適切な追従速度を用いて発振器を制御する構成である。以下、追従速度の決定方法について図６を参照して具体的に説明する。図６は、ＯＣＸＯ２３の追従速度を変化させるための閾値を説明する図である。
【００５８】
本実施形態では、図６（ａ）に示すように、追従速度の候補としてＶ1からＶ3の３つの追従速度が用意されている（Ｖ1＜Ｖ2＜Ｖ3）。そして、基準信号発生装置１０（制御部２２）は、恒温槽の外側の温度に応じて、ＯＣＸＯ２３の制御に用いる追従速度を決定する（追従速度決定工程）。
【００５９】
上述のように、ＯＣＸＯ２３は、恒温槽の外側の温度が低い場合は恒温槽内を頂点温度に維持することができるので、温度特性は安定している。そのため、最も小さい追従速度であるＶ1を用いてＯＣＸＯ２３が制御される。
【００６０】
このように、温度特性が安定である場合は、追従速度を小さくすることで、マルチパス等の影響を軽減できるとともに、温度特性が不安定な場合は追従速度を上昇させて周波数変化量の急激な変化に追従することができる。
【００６１】
また、基準信号発生装置１０には、閾値が設定されており、恒温槽の外側の温度が当該閾値を超えたときに、追従速度を切り替える。なお、本実施形態では、温度上昇時と温度下降時とでその閾値を異ならせている。
【００６２】
つまり、図６（ｂ）に示すように、追従速度がＶ1であるときは、温度が６５℃になったタイミングで、追従速度がＶ2に切り替えられる。一方で、追従速度がＶ2であるときは、温度が５５℃になったタイミングで追従速度がＶ1に切り替えられる。Ｖ2とＶ3の切替時も同様に、閾値が異なる。
【００６３】
これにより、温度が５５℃付近や６５℃付近で前後している場合であっても、追従速度が短時間の間に何回も切り替わることを防止できる。
【００６４】
なお、発振器の温度特性は個体差があるため、個体毎に予め温度特性を求め、その温度特性に基づいて追従速度の閾値等を求めることが好ましい。
【００６５】
次に、上記実施形態の変形例を説明する。図７は、位相差に基づいて追従速度を変化させる様子を示すグラフである。
【００６６】
上記実施形態は、ＯＣＸＯ２３の周囲の温度（即ちＯＣＸＯ２３の温度特性）に基づいて追従速度を切り替えている。これに対し、本変形例では、ＯＣＸＯ２３の周囲の温度に加えて、制御部２２が検出した位相差も考慮して追従速度を切り替える構成である。
【００６７】
この変形例では位相差についての閾値が設定されており、制御部２２が検出した位相差がこの閾値を超えたか否かに基づいて追従速度を変化させる。なお、マルチパス等に起因して生じる位相差は、一時的に大きく上昇してすぐに元に戻るという特性があるため、閾値を超える状態が所定時間続いた場合に追従速度を大きくすることが好ましい。また、追従速度を大きくしても位相差が減少しない場合は追従速度を更に大きくする制御を行っても良い。
【００６８】
一方、追従速度を小さくするときは、位相差がゼロの近傍で安定してからのほうが好ましい。また、追従速度は、徐々に小さくすることで、オーバーシュートを防ぎつつ位相差を素早くゼロに近づけることができる。
【００６９】
以上に説明したように、本実施形態の発振器制御方法は、位相差算出工程と、温度取得工程と、追従速度決定工程と、制御工程と、を含む。位相差算出工程では、ＯＣＸＯ２３が出力した出力信号又はそれに基づく信号と、リファレンス信号と、の位相差を求める。温度取得工程では、ＯＣＸＯ２３の周囲の温度を取得する。追従速度決定工程では、温度取得工程で取得された温度に基づいて、位相差を小さくする速度である追従速度を決定する。制御工程では、追従速度決定工程で決定された追従速度を用いて、位相差を小さくするようにＯＣＸＯ２３を制御する。
【００７０】
これにより、ＯＣＸＯ２３は温度に応じて温度特性が変化するため、温度特性を考慮した追従速度を用いてＯＣＸＯ２３を制御することができる。
【００７１】
以上に本発明の好適な実施の形態及び変形例を説明したが、上記の構成は例えば以下のように変更することができる。
【００７２】
基準信号発生装置１０を構成する発振器は、ＯＣＸＯでなくても良い。例えば、（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ、温度補償型水晶発振器）であっても良いし、水晶以外の原子発振器（ルビジウム発振器）等であっても良い。
【００７３】
上記実施形態及び変形例では、追従速度を３段階に切り替える構成であるが、２段階であっても良いし、４段階以上であっても良い。また、追従速度を段階的ではなく連続的に変化させる構成を採用することもできる。
【００７４】
上記実施形態及び変形例では、位相差を比較するＰＬＬ回路を用いているが、周波数差を比較するＦＬＬ回路を用いることもできる。この場合、追従速度とは周波数差をゼロに近づける速度を示すこととなる。
【００７５】
温度（温度特性の安定性）だけでなく、温度勾配も考慮して追従速度を切り替える構成であっても良い。
【００７６】
上記実施形態及び変形例は、ＧＰＳ衛星からの信号に基づいてリファレンス信号を生成する構成であるが、ＧＮＳＳ（Ｇｌｏｂａｌ  Ｎａｖｉｇａｔｉｏｎ  Ｓａｔｅｌｌｉｔｅ  Ｓｙｓｔｅｍ）を利用する構成であれば、適宜変更することができる。例えば、ＧＬＯＮＡＳＳ衛星やＧＡＬＩＬＥＯ衛星からの信号に基づいてリファレンス信号を生成する構成に変更することができる。また、外部装置からのリファレンス信号を取得する構成としても良い。
【００７７】
ＧＰＳ受信部２１は、１ＰＰＳに代えて、ＰＰ２Ｓ等の１Ｈｚ以外の信号をリファレンス信号として生成する構成に変更することができる。また、ＧＰＳ受信部２１は、基準信号発生装置１０の内部ではなく外部に配置されていても良い。
【００７８】
基準信号発生装置１０が備える各部は、ハードウェアとして構成することに代えて、ソフトウェアにより構成することもできる。
【符号の説明】
【００７９】
１０  基準信号発生装置
２１  ＧＰＳ受信部
２２  制御部
２３  ＯＣＸＯ
２４  分周部
４１  入力部
４２，４３  出力部
４４  ＰＬＬ回路
【図１】
2014060682.tif 000003
【図２】
2014060682.tif 000004
【図３】
2014060682.tif 000005
【図４】
2014060682.tif 000006
【図５】
2014060682.tif 000007
【図６】
2014060682.tif 000008
【図７】
2014060682.tif 000009